(57)【特許請求の範囲】
【請求項１】
圧縮機、
第一減圧器が設けられて上記圧縮機に接続された第一冷媒流路及び
第二減圧器が設けられて上記圧縮機に接続された第二冷媒流路及び
副第二減圧器が設けられて上記圧縮機に接続された副第二冷媒流路並びに
上記第一冷媒流路及び上記第二冷媒流路及び上記副第二冷媒流路の間で熱交換が可能に構成された室外熱交換器を有する室外機と、
上記第一冷媒流路に接続された第一室内熱交換器及び
上記第二冷媒流路に接続された第二室内熱交換器並びに
上記第一室内熱交換器及び上記第二室内熱交換器に対して風路方向に直列に配置された室内送風機を有する冷暖形第一室内機と、
上記副第二冷媒流路に接続された副第二室内熱交換器を有する第二室内機とを備え、
上記冷暖形第一室内機は、蒸発作用を行う上記第一室内熱交換器から凝縮作用を行う上記第二室内熱交換器へ送風されることによって除湿運転可能に構成されたことを特徴とする空気調和装置。
【発明の詳細な説明】
【０００１】
【発明の属する技術分野】
この発明は、一つの室外機により複数の部屋に対応できるヒートポンプ式の空気調和装置に関する。
【０００２】
【従来の技術】
図９は、従来の空気調和装置を示す冷媒回路図である。図において、１は室外機で、高温、高圧のガス状冷媒を生成する圧縮機２、圧縮機２からのガス状冷媒の流れ方向を冷房主体運転、暖房主体運転に応じて切り換える四方切替弁３、冷房主体運転時には冷媒を凝縮して暖房主体運転時には冷媒を蒸発させる室外熱交換器４及び室外空気を室外熱交換器４に送る室外送風機５が設けられている。
【０００３】
６は冷媒分流装置で、冷房主体運転時に室外機１からの気液二相状態の高圧冷媒を、暖房に使用する高圧ガスと冷房に使用する高圧液に分離する気液分離器７、冷房運転する室内機８に供給する液冷媒の過冷却を十分に行うサブクール熱交換器９，１０，１１、室内機８の冷房及び暖房モードに対して冷媒を適切に配分するための第一流量制御弁１２及び第二流量制御弁１３、サブクール熱交換器９，１０，１１の被冷却側の冷媒流量を制御するための第三流量制御弁１４及び室内機８を高圧管又は低圧管に切替え接続する切替弁１５が設けられている。
【０００４】
１６は室内機８に設けられた室内熱交換器で、それぞれ冷房運転時には蒸発作用し、暖房運転時には凝縮作用する。１７は室内機８に設けられた室内送風機で、室内空気を室内熱交換器１６に送る。１８は室内機８に設けられた第四流量制御弁で、冷媒分流装置６から送られてきた冷媒を流量制御する。
【０００５】
従来の空気調和装置は上記のように構成され、一つの室外機１により複数の部屋に対応できるヒートポンプ式の空気調和装置が形成され、複数の部屋に対応すると共に冷房と暖房の同時運転が行われる。そして、冷媒回路の運転モードとしては、運転している室内機８のモードが全て冷房である全冷房運転、全て暖房である全暖房運転、冷房と暖房が混在している冷暖同時運転が行われる。また、冷暖同時運転では室外熱交換器４が凝縮器として動作する冷房主体運転と、室外熱交換器４が蒸発器として動作する暖房主体運転とが行われる。
【０００６】
すなわち、全冷房運転時には圧縮機２から吐出された高温、高圧のガス状冷媒が四方切替弁３により図９に実線で示す流路一方を通り室外熱交換器４に入る。ここで室外送風機５による室外空気と熱交換して凝縮液化され、気液分離器７に送りこまれる。そして、気液分離器７に溜まった高圧液はサブクール熱交換器９、第一流量制御弁１２、サブクール熱交換器１０を通り、一部は第三流量制御弁１４で減圧されてサブクール熱交換器１１へ送り込まれる。
【０００７】
また、その他の高圧液はサブクール熱交換器１１に直接送り込まれ、第三流量制御弁１４により減圧された二相冷媒と熱交換して過冷却される。そして、過冷却された高圧液は第四流量制御弁１８により減圧されて気液混合液となって、室内熱交換器１６に入る。次いで、室内熱交換器１６で気化しながら室内送風機１７による室内空気と熱交換して冷房作用を行い、四方切替弁３により図９に実線で示す流路の他方を通って圧縮機２に戻る。
【０００８】
また、全暖房運転時には圧縮機２から吐出された高温、高圧のガス状冷媒が四方切替弁３により図９に破線で示す流路一方を通り気液分離器７に送られる。その後高圧ガスは切替弁１５を経て室内熱交換器１６へ入り、ここで室内送風機１７による室内空気と熱交換して暖房作用を行う。そして、第四流量制御弁１８、サブクール熱交換器１１、第二流量制御弁１３を通る際に減圧過冷却されて室外熱交換器４に入る。ここで室外送風機５による室外空気と熱交換して蒸発気化され四方切替弁３により図９に破線で示す流路の他方を通って圧縮機２に戻る。
【０００９】
また、冷暖同時運転時には、冷房主体運転時において圧縮機２から吐出された高温、高圧のガス状冷媒が四方切替弁３、室外熱交換器４を通る際に、高圧の二相冷媒となって、気液分離器７に送りこまれる。ここで、高圧ガス状冷媒は切替弁１５を通って暖房運転モードの室内熱交換器１６に送り込まれて暖房作用を行う。
【００１０】
また、高圧液状冷媒はサブクール熱交換器９、第一流量制御弁１２、サブクール熱交換器１０、サブクール熱交換器１１を通る際に過冷却される。そして、第四流量制御弁１８で減圧した後に冷房運転モードの室内熱交換器１６に送り込まれて冷房作用を行い、冷房、暖房作用を行った後の冷媒は合流して圧縮機２に戻る。
【００１１】
また、暖房主体運転時において圧縮機２から吐出された高温、高圧のガス状冷媒が四方切替弁３を通り、気液分離器７に送りこまれる。ここで高圧ガス状冷媒は切替弁１５を通り、暖房運転モードの室内熱交換器１６に送り込まれて暖房作用を行う。また、暖房作用後の高圧の二相冷媒の一部は第四流量制御弁１８を通り減圧され、冷房運転モードの室内熱交換器１６に送り込まれて冷房作用を行う。そして、残りの高圧の二相冷媒は第二流量制御弁１３を通り減圧され、冷房作用を行った後の低圧ガス状冷媒と合流して圧縮機２に戻るようになっている。
【００１２】
【発明が解決しようとする課題】
上記のような従来の空気調和装置において、室外機１、室内機８の他に種々の機器、部材によって構成された冷媒分流装置６が設けられる。このため、部品点数が多く、また複雑な制御を要することとも相俟って製造費が嵩むという問題点があった。
【００１３】
また、エネルギー効率の面から見て運転していない室内機８にも冷媒が流れて損失が発生する。さらに、除湿運転時には室温が低下し、また暖房霜取運転時には室内機の運転を止めるため暖房能力の発揮が不十分であった。また、一台による暖房運転時などであって、室内熱交換器１６容量が室外熱交換器４容量に比べて小さい場合には高圧が上がり易くなるため空気調和装置の保護装置が誤動作し易くなる。
【００１４】
この発明は、かかる問題点を解消するためになされたものであり、一つの室外機によって複数の部屋に対応でき、冷房と暖房の同時運転機能を備えた装置であって、簡易に構成されて容易に製作できるヒートポンプ式の空気調和装置を得ることを目的とする。
【００１５】
【課題を解決するための手段】
この発明に係る空気調和装置においては、圧縮機、第一減圧器が設けられて圧縮機に接続された第一冷媒流路及び第二減圧器が設けられて圧縮機に接続された第二冷媒流路及び副第二減圧器が設けられて圧縮機に接続された副第二冷媒流路並びに第一冷媒流路及び第二冷媒流路及び副第二冷媒流路の間で熱交換が可能に構成された室外熱交換器を有する室外機と、第一冷媒流路に接続された第一室内熱交換器及び第二冷媒流路に接続された第二室内熱交換器並びに第一室内熱交換器及び第二室内熱交換器に対して風路方向に直列に配置された室内送風機を有する冷暖形第一室内機と、副第二冷媒流路に接続された副第二室内熱交換器を有する第二室内機とを備え、冷暖形第一室内機は、蒸発作用を行う第一室内熱交換器から凝縮作用を行う第二室内熱交換器へ送風されることによって除湿運転可能に構成される。
【００１６】
【発明の実施の形態】
実施の形態１．
図１〜図３は、この発明の実施の形態の一例を示す図で、図１は空気調和装置の冷媒回路図、図２は図１の空気調和装置の一つの室外熱交換器内で凝縮作用を行う領域及び蒸発作用を行う領域を設けた場合の領域パターンを模式的に示す説明図、図３は図１の空気調和装置において複数の室外熱交換器を使用して凝縮作用及び蒸発作用を行う場合の領域パターンを模式的に示す説明図である。
【００１７】
図において、１は室外機で、高温、高圧のガス状冷媒を生成する圧縮機２、圧縮機２に接続された第一冷媒流路１９、圧縮機２に接続された第二冷媒流路２０、第一冷媒流路１９及び第二冷媒流路２０の両者に設けられて冷房運転の冷媒回路においては凝縮作用を行い暖房運転の冷媒回路においては蒸発作用を行うと共に上記両者の冷媒流路間で熱交換が可能な室外熱交換器４、第一冷媒流路１９に設けられた第一減圧器２１並びに第二冷媒流路２０に設けられた第二減圧器２２によって構成されている。
【００１８】
なお、第一減圧器２１及び第二減圧器２２は、図示が省略してあるが凝縮器から送り込まれる高温、高圧の液状冷媒を蒸発器によって蒸発し易くする。
２３は第一冷媒流路１９と第二冷媒流路２０の分岐点、２４は第一冷媒流路１９と第二冷媒流路２０の合流点である。
【００１９】
２５は第一冷媒流路１９に接続された冷房専用の第一室内機で、蒸発作用を行う第一室内熱交換器２６が設けられている。２７は第二冷媒流路２０に接続された暖房専用の第二室内機で、凝縮作用を行う第二室内熱交換器２８が設けられている。
【００２０】
上記のように構成された空気調和装置において、第一室内機２５及び第二室内機２７の同時運転時には、圧縮機２から吐出された高温、高圧のガス状冷媒が分岐点２３により二つに分岐される。そして、冷房については室外熱交換器４へ送られる。
【００２１】
そして、室外熱交換器４により熱を放出して、高温、高圧の液状冷媒となり、その後に第一減圧器２１で減圧されて低温、低圧の二相状態となって第一室内機２５へ送り込まれる。次いで、第一室内熱交換器２６により低温、低圧の二相冷媒が吸熱することにより冷房及び除湿作用を行い、低温、低圧のガス状となった冷媒は圧縮機２に戻る。以上の冷媒の流れを第一冷凍サイクルとする。
【００２２】
また、暖房については高温、高圧のガス状冷媒が分岐点２３から第二室内熱交換器２８へ送り込まれて暖房作用を行う。すなわち、第二室内熱交換器２８により放熱して、高温、高圧の液状冷媒となり、第二減圧器２２で減圧されて低温、低圧の二相状態となる。次いで室外熱交換器４において吸熱して、低温、低圧のガス状となった冷媒は圧縮機２に戻る。以上の冷媒の流れを第二冷凍サイクルとする。
【００２３】
以上説明した第一室内機２５及び第二室内機２７の同時運転時には、室外熱交換器４において第一冷凍サイクルによる廃熱と第二冷凍サイクルによる吸熱を相互に利用することができる。また、第一室内機２５及び第二室内機２７の同時運転時には、全冷房又は全暖房運転時よりも低い回転速度により圧縮機２を運転することができる。このため、室外機１の運転音を静粛化でき、また少ないエネルギーによる高効率の運転ができると共に冷房と暖房の同時運転時には霜が付かないために、暖房時における室外熱交換器４の霜取り動作が不要となる。
【００２４】
また、暖房専用の第二室内機２７のみの運転の場合に、室外熱交換器４に霜がついたときには冷房専用の第一冷媒流路１９により高温、高圧のガス状冷媒を室外熱交換器４に送って霜を除くことができる。したがって、霜取りのために暖房専用の第二室内機２７の運転を休止する必要がなく、暖房作用の効率が低下する不具合を解消することができる。
【００２５】
また、前述の図９に示す空気調和装置のように冷媒分流装置が不要であって、部品点数が減少して製造費を低減することができ、また空気調和装置を小形化することができる。
また、前述の図９に示す空気調和装置に比べて、第一室内熱交換器２６及び第二室内熱交換器２８の容量と室外熱交換器４の容量との差異が少なく、空気調和装置の保護を目的とする装置が不要になり誤動作が減少する。このため、運転状態を安定性を向上することができる。
【００２６】
また、同じ部屋に第一室内機２５及び第二室内機２７の両者を設置して、これら両者を同時運転することにより、部屋の温度を低下させずに除湿運転することができる。これによって、快適な除湿作用を得ることができる。
【００２７】
なお、一つの室外熱交換器４において冷媒の凝縮作用及び蒸発作用を行う場合に、実施設計としては図２に示す（ａ）（ｂ）（ｃ）（ｂ）のように、それぞれの領域パターンが形成される。
また、複数の室外熱交換器４を使用して凝縮作用及び蒸発作用を行う場合に、実施設計としては図３に示す（ａ）（ｂ）（ｃ）のように、それぞれの領域パターンが形成される。
【００２８】
実施の形態２．
図４は、この発明の他の実施の形態の一例を示す図で、空気調和装置の冷媒回路図である。図において、前述の図１と同符号は相当部分を示し、２９は第一四方切換弁で、第一冷媒流路１９に設けられて第一室内熱交換器２６に対する冷媒の流れ方向を切り換えて第一室内機２５の運転モードを変更する。３０は第二四方切換弁で、第二冷媒流路２０に設けられて第二室内熱交換器２８に対する冷媒の流れ方向を切り換えて第二室内機２７の運転モードを変更する。
【００２９】
上記のように構成された空気調和装置においても、圧縮機２、第一減圧器２１を有する第一冷媒流路１９及び第二減圧器２２を有する第二冷媒流路２０並びに第一冷媒流路１９及び第二冷媒流路２０の間で熱交換が可能な室外熱交換器４が設けられた室外機１と、第一冷媒流路１９に接続された第一室内熱交換器２６を有する第一室内機２５と、第二冷媒流路２０に接続された第二室内熱交換器２８を有する第二室内機２７とが設けられる。
【００３０】
したがって、詳細な説明を省略するが図４の実施の形態においても図１〜図３の実施の形態と同様な作用が得られることは明白である。
また、図４の実施の形態において、第一四方切換弁２９及び第二四方切換弁３０が設けられる。これによって、第一冷媒流路１９の第一室内熱交換器２６に対する冷媒の流れ方向を切り換えることができる。
【００３１】
また第二冷媒流路２０の第二室内熱交換器２８に対する冷媒の流れ方向を切り換えることができる。このため、第一室内機２５及び第二室内機２７の一方を冷房運転に、他方を暖房運転に適宜に選択することができ、容易に運転モードを変更することができる。
【００３２】
実施の形態３．
図５も、この発明の他の実施の形態の一例を示す図で、空気調和装置の冷媒回路図である。図において、前述の図１及び図４と同符号は相当部分を示し、３１は分岐点２３と第一四方切換弁２９の間に設けられた第一電磁弁、３２は分岐点２３と第二四方切換弁３０の間に設けられた第二電磁弁、３３、３４はそれぞれ凝縮器から送り込まれる高温、高圧の液状冷媒の減圧量を最適に制御できる電子制御式の膨張弁で、３３は第一冷媒流路１９に設けられた第一膨張弁、３４は第二冷媒流路２０に設けられた第二膨張弁である。
【００３３】
上記のように構成された空気調和装置においても、圧縮機２、第一膨張弁３３を有する第一冷媒流路１９及び第二膨張弁３４を有する第二冷媒流路２０並びに第一冷媒流路１９及び第二冷媒流路２０の間で熱交換が可能な室外熱交換器４が設けられた室外機１と、第一冷媒流路１９に接続された第一室内熱交換器２６を有する第一室内機２５と、第二冷媒流路２０に接続された第二室内熱交換器２８を有する第二室内機２７とが設けられる。
【００３４】
したがって、詳細な説明を省略するが図５の実施の形態においても図１〜図３の実施の形態と同様な作用が得られることは明白である。
また、図５の実施の形態において冷房と暖房の同時運転時には、圧縮機２から吐出された高温、高圧のガス状冷媒が第一電磁弁３１、第二電磁弁３２を通ってそれぞれ第一四方切換弁２９及び第二四方切換弁３０に送り込まれる。
【００３５】
そして、冷房運転モードである第一室内機２５おいては、高温、高圧のガス状冷媒が第一四方切換弁２９を経て室外熱交換器４へ送り込まれ、ここで熱を放出し高温、高圧の液状冷媒となる。次いで、電子制御式の第一膨張弁３３で高温、高圧のガス状冷媒が減圧されて低温、低圧の二相状態となって第一室内機２５へ送りこまれる。
【００３６】
そして、第一室内熱交換器２６で低温、低圧の二相冷媒が吸熱することにより、冷房及び除湿作用を行い、低温、低圧のガス状となった冷媒は第一四方切換弁２９を通って、圧縮機２に還流する。以上の冷媒の流れを第一冷凍サイクルとする。
【００３７】
また、暖房運転モードである第二室内機２７については、高温、高圧のガス状冷媒が第二四方切換弁３０から第二室内機２７へ送り込まれて暖房作用を行う。すなわち、第二室内熱交換器２８により放熱して、高温、高圧の液状となった冷媒は電子制御式の第二膨張弁３４により減圧されて低温、低圧の二相状態となる。次いで室外熱交換器４において吸熱して、低温、低圧のガス状となった冷媒は第二四方切換弁３０を経て圧縮機２に戻る。以上の冷媒の流れを第二冷凍サイクルとする。
【００３８】
また、冷房と暖房の同時運転時における室外熱交換器４においては、第一冷凍サイクルによる排熱と、第二冷凍サイクルによる吸熱を相互に利用することができるので、高効率運転ができエネルギーを節減することができる。
また、第一電磁弁３１、第二電磁弁３２により運転していない室内機に不必要な冷媒が流れないようにすることができ、さらに高効率運転ができエネルギーを節減することができる。
【００３９】
また、第一冷媒流路１９に設けられた第一膨張弁３３、第二冷媒流路２０に設けられた第二膨張弁３４によって、凝縮器から送り込まれる高温、高圧の液状冷媒の減圧量が最適に制御される。そして、第一室内熱交換器２６、第二室内熱交換器２８に適切な冷媒量が送り込まれる。このため、第一室内機２５、第二室内機２７が設置された各部屋の負荷に応じて運転することができる。したがって、一層高効率運転ができエネルギーを節減することができる。
【００４０】
なお、図５の実施の形態において、電子制御式の第一膨張弁３３及び第二膨張弁３４に代えて、それぞれ温度式の自動膨張弁を設けても電子制御式の膨張弁と同様な冷媒流量調整作用を得ることができる。
【００４１】
実施の形態４．
図６も、この発明の他の実施の形態の一例を示す図で、空気調和装置の冷媒回路図である。図において、前述の図１、図４及び図５と同符号は相当部分を示し、１９は主第一冷媒流路、１９１は副第一冷媒流路、２０は主第二冷媒流路、２０１は副第二冷媒流路、２５は主第一室内機、２５１は副第一室内機、２６は主第一室内熱交換器、２６１は副第一室内熱交換器、２７は主第二室内機、２７１は副第二室内機、２８は主第二室内熱交換器、２８１は副第二室内熱交換器である。
【００４２】
また、２９は主第一四方切換弁、２９１は副第一四方切換弁、３０は主第二四方切換弁、３０１は副第二四方切換弁、３１は主第一電磁弁、３１１は副第一電磁弁、３２は主第二電磁弁、３２１は副第二電磁弁、３３は電子制御式の主第一膨張弁、３３１は電子制御式の副第一膨張弁、３４は電子制御式の主第二膨張弁、３４１は電子制御式の副第二膨張弁である。
【００４３】
上記のように構成された空気調和装置は、第一室内機、第二室内機をそれぞれ二組設け、これらの二組に関連した第一冷媒流路、第二冷媒流路等の構成部材、機器をそれぞれ設けたものである。したがって、詳細な説明を省略するが図６の実施の形態においても図５の実施の形態と同様な作用が得られる。
【００４４】
また、図６の実施の形態を応用して図６に図示した室内機の他に第一室内機、第二室内機をそれぞれ容易に追加することができる。そして、室内機のそれぞれに対応した冷媒流路等の構成部材、機器を設けることにより、三室以上の部屋にそれぞれ第一室内機を設け、他の三室以上の部屋にそれぞれ第二室内機を設置することも可能である。
【００４５】
実施の形態５．
図７も、この発明の他の実施の形態の一例を示す図で、空気調和装置の要部における構成を示す模式図であり、図７の他は前述の図１、図４又は図５の実施の形態と同様に空気調和装置が構成されている。図において、前述の図１と同符号は相当部分を示す。
【００４６】
３５は冷暖形室内機で、冷房専用であり蒸発作用を行う第一室内熱交換器２６、暖房専用であり凝縮作用を行う第二室内熱交換器２８並びに第一室内熱交換器２６及び第二室内熱交換器２８に送風する室内送風機３６が設けられている。
３７は冷暖形室内機３５に接続された吸込みダクト、３８は冷暖形室内機３５に接続された吹出しダクトである。
【００４７】
上記のように構成された空気調和装置においても多くは図示が省略してあるが、圧縮機２、第一膨張弁３３を有する第一冷媒流路１９及び第二膨張弁３４を有する第二冷媒流路２０並びに第一冷媒流路１９及び第二冷媒流路２０の間で熱交換が可能な室外熱交換器４が設けられた室外機１と、第一冷媒流路１９に接続された第一室内熱交換器２６及び第二冷媒流路２０に接続された第二室内熱交換器２８を有する冷暖形室内機３５とが設けられる。
【００４８】
したがって、詳細な説明を省略するが図７の実施の形態においても図１〜図３の実施の形態と同様な作用が得られることは明白である。
また、図７の実施の形態において、図７に示すように第一室内熱交換器２６及び第一室内熱交換器２６と直列に配置された第二室内熱交換器２８を有する冷暖形室内機３５が設けられて、第一室内熱交換器２６を冷房運転モードに、第二室内熱交換器２８を暖房運転モードにする。
【００４９】
そして、室内送風機３６により室内空気を送風することにより第一室内熱交換器２６を通過する際に冷却及び除湿され、冷却及び除湿された空気が第二室内熱交換器２８を通過する際に加温される。これによって、室内送風機３６により吸入された室内空気が、除湿された同じ温度の空気として室内へ送り込まれる。したがって、室内温度を低下させることなく除湿運転を行うことができる。
【００５０】
実施の形態６．
図８も、この発明の他の実施の形態の一例を示す図で、空気調和装置の冷媒回路図である。図において、前述の図１、図６及び図７と同符号は相当部分を示し、２５は図７に示す冷暖形室内機３５からなる第一室内機、２７は副第二室内熱交換器２８１が設けられた第二室内機である。
【００５１】
上記のように構成された空気調和装置においても、圧縮機２、第一減圧器２１を有する第一冷媒流路１９、第二減圧器２２を有する第二冷媒流路２０及び副第二膨張弁３４１を有する副第二冷媒流路２０１並びに第一冷媒流路１９、第二冷媒流路２０及び副第二冷媒流路２０１の間で熱交換が可能な室外熱交換器４が設けられた室外機１と、第一冷媒流路１９に接続された第一室内熱交換器２６及び第二冷媒流路２０に接続された第二室内熱交換器２８を有する第一室内機２５と、副第二冷媒流路２０１に接続された副第二室内熱交換器２８１を有する第二室内機２７とが設けられる。
【００５２】
したがって、詳細な説明を省略するが図８の実施の形態においても図１〜図３の実施の形態における作用が得られることは明白である。
また、図８の実施の形態において、第一室内熱交換器２６及び第二室内熱交換器２８を有する第一室内機２５が設けられるので、図７の実施の形態と同様に室内送風機３６により吸入された室内空気が、除湿された同じ温度の空気として室内へ送り込まれる。したがって、室内温度を低下させることなく除湿運転を行うことができる。
【００５３】
【発明の効果】
この発明は以上説明したように、圧縮機、第一減圧器が設けられて圧縮機に接続された第一冷媒流路及び第二減圧器が設けられて圧縮機に接続された第二冷媒流路及び副第二減圧器が設けられて圧縮機に接続された副第二冷媒流路並びに第一冷媒流路及び第二冷媒流路及び副第二冷媒流路の間で熱交換が可能に構成された室外熱交換器を有する室外機と、第一冷媒流路に接続された第一室内熱交換器及び第二冷媒流路に接続された第二室内熱交換器並びに第一室内熱交換器及び第二室内熱交換器に対して風路方向に直列に配置された室内送風機を有する冷暖形第一室内機と、副第二冷媒流路に接続された副第二室内熱交換器を有する第二室内機とを備え、冷暖形第一室内機は、蒸発作用を行う第一室内熱交換器から凝縮作用を行う第二室内熱交換器へ送風されることによって除湿運転可能に構成したものである。
【００５４】
これによって、冷暖形第一室内機及び第二室内機の同時運転時には、室外熱交換器において第一冷媒流路及び第二冷媒流路及び副第二冷媒流路の間で廃熱と吸熱を相互に利用することができる。このため、高効率の運転ができる効果があり、また冷房と暖房の同時運転時には霜が付かないために、暖房時における室外熱交換器の霜取り動作が不要となって運転効率を向上する効果がある。
【００５５】
また、冷暖形第一室内機及び第二室内機の一方が暖房運転の場合に、室外熱交換器に霜がついたときには上記両室内機の他方に接続された冷媒流路により高温、高圧のガス状冷媒を室外熱交換器に送って霜を除くことができる。したがって、霜取りのために上記一方の室内機の暖房運転を休止する必要がなく、暖房作用が阻害される不具合を解消する効果がある。
【００５６】
さらに、冷媒分流装置が不要であって、部品点数が減少して製造費を低減する効果があり、また空気調和装置を小形化する効果がある。
また、第一室内熱交換器及び第二室内熱交換器及び副第二室内熱交換器の容量と室外熱交換器の容量との差異が少なく、空気調和装置の保護を目的とする装置が不要となり誤動作が減少し、運転状態を安定化する効果がある。
【００５７】
また、第一室内熱交換器及び第二室内熱交換器の両者を有する冷暖形第一室内機によって構成されるので、上記両者の一方を蒸発作用、他方を凝縮作用として同時運転することにより室内送風機により吸入された室内空気が、除湿された同じ温度の空気として室内へ送り込まれる。したがって、室内温度を低下させることなく除湿運転を行うことができ、快適な除湿作用を得る効果がある。
【図面の簡単な説明】
【図１】  この発明の実施の形態１を示す図であり、空気調和装置の冷媒回路図。
【図２】  図１の空気調和装置の一つの室外熱交換器内において凝縮作用を行う領域及び蒸発作用を行う領域を設けた場合の領域パターンを模式的に示す説明図。
【図３】  図１の空気調和装置において複数の室外熱交換器を使用して凝縮作用及び蒸発作用を行う場合の領域パターンを模式的に示す説明図。
【図４】  この発明の実施の形態２を示す図であり、空気調和装置の冷媒回路図。
【図５】  この発明の実施の形態３を示す図であり、空気調和装置の冷媒回路図。
【図６】  この発明の実施の形態４を示す図であり、空気調和装置の冷媒回路図。
【図７】  この発明の実施の形態５を示す図であり、空気調和装置の要部における構成を示す模式図。
【図８】  この発明の実施の形態６を示す図であり、空気調和装置の冷媒回路図。
【図９】  従来の空気調和装置を示す冷媒回路図。
【符号の説明】
１  室外機、２  圧縮機、４  室外熱交換器、１９  第一冷媒流路、２０  第二冷媒流路、２１  第一減圧器、２２  第二減圧器、２５  第一室内機、２６  第一室内熱交換器、２７  第二室内機、２８  第二室内熱交換器、２９  第一四方切換弁、３０  第二四方切換弁、３１  第一電磁弁、３２  第二電磁弁、３３  第一膨張弁、３４  第二膨張弁、３５  冷暖形室内機、３６  室内送風機。
【図１】
0003701408.tif 000002
【図２】
0003701408.tif 000003
【図３】
0003701408.tif 000004
【図４】
0003701408.tif 000005
【図５】
0003701408.tif 000006
【図６】
0003701408.tif 000007
【図７】
0003701408.tif 000008
【図８】
0003701408.tif 000009
【図９】
0003701408.tif 000010